(57)【要約】      （修正有）【課題】より効率的にリラックスした意識状態への移行を可能にしつつ、使用者の安全をさらに確保することが可能な視野制限装置を提供する。【解決手段】視野制限装置は、右眼及び左眼の前方であって、右眼の視野と左眼の視野とが重なる位置に配置される遮眼部材と、遮眼部材を顔面に取り付ける固定部材とを備える。遮眼部材は、第１透明板状部材２１と、第２透明板状部材２２とを有している。第１透明板状部材２１及び第２透明板状部材２２は、可視光に対して透明である板状の部材である。固定部材は、第１リム１１と、第２リム１２と、ブリッジ１３とを有している。第１リム１１及び第２リム１２は、環状の部材である。第１透明板状部材２１は、第１リム１１の内側に嵌め込まれている。第２透明板状部材２２は、第２リム１２の内側に嵌め込まれている。【選択図】図１
0003209421.tif 000002
【実用新案登録請求の範囲】
【請求項１】
右眼及び左眼の前方であって、右眼の視野と左眼の視野とが重なる位置に配置される遮眼部材と、
前記遮眼部材を顔面に取り付ける固定部材とを備える、視野制限装置。
【請求項２】
前記固定部材は、第１リムと、第２リムと、前記第１リムと前記第２リムとを連結するブリッジとを有し、
前記遮眼部材は、第１筒と、第２筒とを有し、
前記第１筒は、前記第１リムの内周に嵌め込まれ、かつ右眼前方に向かって延在する筒状形状となっており、
前記第２筒は、前記第２リムの内周に嵌め込まれ、かつ左眼前方に向かって延在する筒状形状となっている、請求項１に記載の視野制限装置。
【請求項３】
前記第１筒及び前記第２筒は、延在方向は可変となるように、前記第１リム及び前記第２リムに嵌め込まれる、請求項２に記載の視野制限装置。
【請求項４】
前記固定部材は、第１リムと、第２リムと、前記第１リムと前記第２リムとを連結するブリッジとを有し、
前記遮眼部材は、前記第１リムの内側に嵌め込まれる第１透明板状部材と、前記第２リムの内側に嵌め込まれる第２透明板状部材とを有し、
前記第１透明板状部材の前記ブリッジ側の表面及び前記第２透明板状部材の前記ブリッジ側は、遮光部を含む、請求項１に記載の視野制限装置。
【考案の詳細な説明】
【技術分野】
【０００１】  本考案は、視野制限装置に関する。
【背景技術】
【０００２】  従来から、変性意識状態（日常的な意識状態以外の意識状態）に移行させるための装置としてガンツフェルトが知られている。ガンツフェルトは、心理学実験等に用いられる、半球状の部材を右眼及び左眼の前方に配置した視野遮断装置である。変性意識状態に移行すると、瞑想状態のようなリラックスした意識状態となる。【０００３】
【考案の概要】
【考案が解決しようとする課題】
【０００４】  ガンツフェルトを用いることによる変性意識状態への移行の効果は、十分ではないと言われている。また、ガンツフェルトを用いる場合、視野が完全に遮断されてしまう。そのため、使用者の安全上好ましいとはいえない。【０００５】  本考案は、上記のような従来技術の問題点に鑑みてなされたものである。より具体的には、本考案は、より効率的にリラックスした意識状態への移行を可能にしつつ、使用者の安全をさらに確保することが可能な視野制限装置を提供するものである。
【課題を解決するための手段】
【０００６】  本考案の一態様に係る視野制限装置は、右眼及び左眼の前方であって、右眼の視野と左眼の視野とが重なる位置に配置される遮眼部材と、遮眼部材を顔面に取り付ける固定部材とを備える。
【考案の効果】
【０００７】  本考案の一態様に係る視野制限装置によると、より効率的にリラックスした意識状態への移行及び使用者の安全確保が可能となる。
【図面の簡単な説明】
【０００８】
【図１】実施形態に係る視野制限装置の斜視図である。
【図２】実施形態に係る第２の変形例に係る視野制限装置の斜視図である。
【考案を実施するための形態】
【０００９】  （実施形態に係る視野制限装置の構成）
【００１０】  以下に、実施形態に係る視野制限装置の構成について、図を参照して説明する。
なお、各図中同一または相当部分には同一符号を付している。また、以下に記載する実施形態の少なくとも一部を任意に組み合わせてもよい。さらに、長さ、幅、厚さ、深さなどの寸法関係は、図面の明瞭化のために適宜変更されており、実際の寸法関係を表すものではない。
【００１１】  図１は、実施形態に係る視野制限装置の斜視図である。図１に示すように、実施形態に係る視野制限装置は、固定部材１と、遮眼部材２とを有している。固定部材１は、遮眼部材２を使用者の顔面に取り付けるための部材である。遮眼部材２は、使用者の右眼視野と左眼視野との重なりを遮るための部材である。
【００１２】  固定部材１は、第１リム１１と、第２リム１２と、ブリッジ１３とを有している。第１リム１１及び第２リム１２は、環状の部材である。第１リム１１及び第２リム１２は、使用者の右眼及び左眼よりも大きい寸法を有している。ブリッジ１３は、第１リム１１と第２リム１２とを連結する部材である。ブリッジ１３は、使用者の鼻の形状にあわせて中央部分が湾曲していてもよい。
【００１３】  固定部材１は、第１アーム１４と、第２アーム１５とをさらに有していてもよい。第１アーム１４及び第２アーム１５は、一方端及び他方端とを有している。第１アーム１４の一方端は、第１リム１１に連結されている。第１アーム１４の他方端は、使用者の右耳の上に載置される。第２アーム１５の一方端は、第２リム１２に連結されている。第２アーム１５の他方端は、使用者の左耳の上に載置される。
【００１４】  固定部材１が上記の構成を有することにより、使用者は、眼鏡をかけるのと同様の要領で、実施形態に係る視野制限装置を使用者の顔面上に固定することができる。
【００１５】  実施形態の第１の変形例に係る視野制限装置は、第１アーム１４及び第２アーム１５に代えて、ストラップ１６を有している。ストラップ１６は、伸縮可能な材料（例えば、ゴム）により形成された帯状の部材である。
【００１６】  固定部材１が上記の構成を有することにより、使用者は、ゴーグルをかけるのと同様の要領で、実施形態の変形例に係る視野制限装置を使用者の顔面に固定することができる。
【００１７】  遮眼部材２は、第１透明板状部材２１と、第２透明板状部材２２とを有している。第１透明板状部材２１及び第２透明板状部材２２は、可視光に対して透明である板状の部材である。第１透明板状部材２１及び第２透明板状部材２２は、例えばガラス又はアクリル等の樹脂材料により形成される。
【００１８】  第１透明板状部材２１は、第１リム１１の内側に嵌め込まれている。第２透明板状部材２２は、第２リム１２の内側に嵌め込まれている。
【００１９】  第１透明板状部材２１及び第２透明板状部材２２は、遮光部２３を有している。遮光部２３は、第１透明板状部材２１及び第２透明板状部材２２のブリッジ１３の側に設けられている。遮光部２３は、可視光が第１透明板状部材２１及び第２透明板状部材２２を透過することを防止する部分である。
【００２０】  遮光部２３は、例えば、第１透明板状部材２１及び第２透明板状部材２２の表面上に貼付されたシールである。但し、遮光部２３は、これに限られるものではない。遮光部２３は、遮光部２３と第１透明板状部材２１及び第２透明板状部材２２のその他の部分との屈折率を違えることで、光学的に遮光してもよい。
【００２１】  遮光部２３の寸法は、右眼視野と左眼視野との重なりを遮ることができ、かつ右眼視野及び左眼視野を完全に遮らない範囲であれば、適宜選択することが可能である。
【００２２】  遮眼部材２は、上記の構成に限られるものではない。図２は、実施形態に係る第２の変形例に係る視野制限装置の斜視図である。図２に示すように、遮眼部材２は、第１筒２４と、第２筒２５とを有していてもよい。
【００２３】  第１筒２４は、第１リム１１に嵌め込まれている。第２筒２５は、第２リム１２に嵌め込まれている。
【００２４】  第１筒２４は、右眼前方に向かう方向に延在している。好ましくは、第１筒２４は、右眼右斜め前方に向かう方向に延在している。第１筒２４は、筒状形状を有している。より具体的には、第１筒２４は、円筒形状を有している。第２筒２５も、第１筒２４と同様の形状を有している。すなわち、第２筒２５は、左眼前方又は左眼左斜め前方に向かう方向に延在し、かつ筒状形状又は円筒形状を有している。
【００２５】  第１筒２４及び第２筒２５は、延在方向が可変となるように、第１リム１１及び第２リム１２に嵌め込まれていてもよい。より具体的には、第１筒２４及び第２筒２５は、図２中の矢印で示されるように延在方向が可変となっており、右眼視野と左眼視野との重なりが遮られる状態と、右眼視野と左眼視野との重なり以外が遮られる状態とが切り換え可能とされている。
【００２６】  遮光部２３の寸法は、右眼視野と左眼視野との重なりを遮ることができ、かつ右眼視野及び左眼視野を完全に遮らない範囲であれば、適宜選択することが可能である。
【００２７】  実施形態に係る視野制限装置は、固定部材１の構成及び遮眼部材２の構成は、上記のものに限られない。例えば、固定部材１は、実施形態の第１の変形例と同様に、ストラップ１６により構成される。
【００２８】  遮眼部材２は、遮眼板であってもよい。すなわち、遮眼部材２は、右眼視野と左眼視野との重なりを遮る板状の部材であってもよい。なお、遮眼板は、右眼及び左眼の前方において、右眼前方及び左眼前方に向かう方向と交差するように配置される。遮眼板は、ストラップ１６に固定される。遮眼板の寸法は、右眼視野と左眼視野との重なりを遮ることができ、かつ右眼視野及び左眼視野を完全に遮らない範囲であれば、適宜選択することが可能である。
【００２９】  （実施形態に係る視野制限装置の効果）
【００３０】  以下に、実施形態に係る視野制限装置の効果について説明する。
考案者らの見出した知見によると、右眼視野と左眼視野との重なりが遮られることにより、右脳と左脳とが独立して機能しやすくなる。右脳と左脳とが独立して機能している場合、リラックスした意識状態（変性意識状態）に移行しやすいとされている。そのため、第１及び第２の実施形態に係る視野制限措置によると、より効率的にリラックスした意識状態に移行することが可能となる。
【００３１】  この点について、第１及び第２の実施形態に係る視野制限装置を装着した状態とそうでない状態において（右眼視野と左眼視野との重なりが遮られている状態とそうでない状態において）、使用者の脳波を測定した。
【００３２】  その結果、後者においては、ベータ波が優位な脳波の状態であった。他方、前者においては、アルファ波及びシータ波が優位な脳波状態となることが確認された。このように、実施形態に係る視野制限装置によると、より効率的にリラックスした意識状態に移行することができることが、実験的にも確認された。
【００３３】  実施形態に係る視野制限装置によると、右眼視野及び左眼視野が完全に遮られない。そのため、実施形態に係る視野制限装置によると、使用時の使用者の安全を確保することができる。
【００３４】  今回開示された実施形態はすべての点で例示であって、制限的なものではないと考えられるべきである。本考案の範囲は上記した実施の形態ではなく実用新案登録請求の範囲によって示され、実用新案登録請求の範囲と均等の意味、および範囲内でのすべての変更が含まれることが意図される。
【産業上の利用可能性】
【００３５】  上記実施形態に係る視野制限装置は、例えば、リラックスした意識状態を誘導するリラックス用具として有効に利用されるものである。
【符号の説明】
【００３６】１    固定部材
２    眼部材
１１  第１リム
１２  第２リム
１３  ブリッジ
１４  第１アーム
１５  第２アーム
１６  ストラップ
２１  第１透明板状部材
２２  第２透明板状部材
２３  遮光部
２４  第１筒
２５  第２筒
【図１】
0003209421.tif 000003
【図２】
0003209421.tif 000004